(57)【特許請求の範囲】
【請求項１】
患者毎の医用画像を取得するための医用画像診断装置と、
文字情報に対してその重要度をレベル分けして記憶するレベル設定手段と、
前記医用画像に対して、前記レベル設定手段を参照してレベル分けされた所見情報を含むレポート情報を作成するレポート情報作成手段を備えたレポート作成端末装置と、
前記作成されたレポート情報を患者又は検査項目毎に分類すると共に、分類されたレポート情報の各々に含まれる前記所見情報のうち、重要度に対応した確認すべき重要所見情報を含む複数の所見情報を識別する識別情報と前記レポート情報とを関連づけたリスト情報を作成するリスト情報作成手段を備えた医用レポートサーバと、
前記医用レポートサーバから前記リスト情報を受信すると共に、前記レポート情報を当該レポート情報が関連づけられた前記識別情報と共に表示手段に表示するレポート確認端末装置とを備えたことを特徴とするレポート作成システム。
【請求項２】
前記レベルの度合いに応じてその所見情報が属するレポート情報を色分けして前記表示手段に表示させることを特徴とする請求項１に記載のレポート作成システム。
【請求項３】
前記所見情報に前記レベルを関連づける際に、前記レベルの色分けや関連づけられた前記所見情報の数値を入力するための入力支援するレベル設定手段が前記レポート作成端末装置に設けられたことを特徴とする請求項１に記載のレポート作成システム。
【請求項４】
重要度のレベルと所見を示す文字データとが関連づけられたテーブルを備え、係るテーブルを参照して前記所見情報の文字データから該当する所見情報に前記レベルの設定を行うレベル設定手段がレポート作成端末装置に設けられたことを特徴とする請求項１に記載のレポート作成システム。
【発明の詳細な説明】
【技術分野】
【０００１】
本発明は、医用画像診断装置により収集された医用画像に対するレポート情報を作成するレポート作成システムに関するものである。
【背景技術】
【０００２】
近年、人体内部の情報を収集し、この収集した情報に基づいて人体内部の構造や機能の状態を表す医用画像を生成して表示する医用画像診断装置が使用されている。この医用画像診断装置としては、Ｘ線診断装置、Ｘ線ＣＴ装置、ＭＲＩ装置（核磁気共鳴画像診断装置）、超音波画像診断装置、核医学診断装置等が知られている。また、これら医用画像診断装置により収集された医用画像を保管する医用画像保管装置（ＰＡＣＳ）、医用画像に対して各種画像処理を施して表示する医用画像ビューア装置、医用画像に対する医学的な所見等を入力する医用レポート装置等の医用情報システムが知られている。
【０００３】
一般に、医用画像診断装置により収集された医用画像は、ネットワークを介して医用画像保管装置に送られ磁気記憶装置や光ディスク等の記録媒体に記憶される。読影医は、医用画像ビューア装置を用いて収集された医用画像を表示し、その医用画像に対するレポート情報を医用レポート装置で作成する。各診療科（依頼科）の医師は、このレポート情報を診療科の端末で表示して診療を行なう。このような医用情報システムに関するものとして、例えば特許文献１が知られている。
【０００４】
【特許文献１】特開２００４−２９０４２８号公報
【発明の開示】
【発明が解決しようとする課題】
【０００５】
従来の医用レポート装置は、複数の医用画像と所見とを関連付けてレポート情報を作成することができるように構成されている。作成されたレポート情報は、読影済みのレポート情報として、患者毎又は検査毎に順次リスト情報表示される。
【０００６】
しかしながら、リスト情報表示されたレポート情報は、「どの患者に対してどのような検査をし」、それに対して「正常」又は「異常」の何れかで判定したかといった情報に過ぎず、各レポート情報について読影医がどのような程度の「異常」と判断したかまでは確認できなかった（特許文献１の図３参照）。
【０００７】
このように、レポート情報のリスト情報表示において、読影医の所見内容の重要度が不明な状況では、読影医が読影した結果、当該レポート情報（所見）の作成を読影医に依頼し、作成されたレポート情報を確認する担当医に対して、読影医が早急に再診断を仰ぎたい場合などの対策が講じられていなかったという問題があり、当該確認者の診断及び患者の処置の遅れや、緊急に診断しなければならない患者の所見の読み忘れといった対応ミスに繋がる原因となる虞がある。
【０００８】
特に、集団検診等の大量の医用画像を読影する場合、１時間に１００枚以上の読影を行なう必要があり、それだけの量のレポート情報がリスト情報表示されても、担当医が一つ一つ確認するのには限界があり、レポート情報に含まれる所見の内容を担当医が効率よく確認できるシステムが望まれていた。
【０００９】
本発明は、以上の問題点に鑑みてなされたものであって、その目的は、重要な所見の有無及びその内容をリスト情報表示時に表示することで、レポート情報を確認する確認者（例えば、担当医）に重要所見の存在を報知し、当該確認者の診断及び患者の処置の遅れや、緊急に診断しなければならない患者の所見の読み忘れといった対応ミスを減少させることにある。
【課題を解決するための手段】
【００１０】
上記課題を解決するために、請求項１記載の発明に係るレポート作成システムは、患者毎の医用画像を取得するための医用画像診断装置と、文字情報に対してその重要度をレベル分けして記憶するレベル設定手段と、前記医用画像に対して、前記レベル設定手段を参照してレベル分けされた所見情報を含むレポート情報を作成するレポート情報作成手段を備えたレポート作成端末装置と、前記作成されたレポート情報を患者又は検査項目毎に分類すると共に、分類されたレポート情報の各々に含まれる前記所見情報のうち、重要度に対応した確認すべき重要所見情報を含む複数の所見情報を識別する識別情報と前記レポート情報とを関連づけたリスト情報を作成するリスト情報作成手段を備えた医用レポートサーバと、前記医用レポートサーバから前記リスト情報を受信すると共に、前記レポート情報を当該レポート情報が関連づけられた前記識別情報と共に表示手段に表示するレポート確認端末装置とを備えたことを特徴とする。
【００１１】
かかる構成とすることにより、前記レポート情報作成手段によって、レポート情報内にレベル分けされた所見情報を付帯情報として関連付け、それによって特定された重要な所見の有無及びその内容を表示可能に前記リスト情報作成手段が作成するので、所見を確認する確認者（例えば、担当医）に重要所見の存在を報知し、当該確認者の診断及び患者の処置の遅れや、緊急に診断しなければならない患者の所見の読み忘れといった対応ミスを減少させることができる。
【００１２】
上記課題を解決するための、請求項２記載の発明に係るレポート作成システムは、請求項１に記載のレポート作成システムにおいて、レベルの度合いに応じてその所見情報が属するレポート情報を色分けして前記表示手段に表示させることを特徴とする。
【００１６】
上記課題を解決するための、請求項３記載の発明に係るレポート作成システムは、請求項１に記載のレポート作成システムにおいて、前記所見情報に前記レベルを関連づける際に、前記レベルの色分けや関連づけられた前記所見情報の数値を入力するための入力支援するレベル設定手段が前記レポート作成端末装置に設けられたことを特徴とする。
【００１７】
上記課題を解決するための、請求項４記載の発明に係るレポート作成システムは、請求項１に記載のレポート作成システムにおいて、重要度のレベルと所見を示す文字データとが関連づけられたテーブルを備え、係るテーブルを参照して前記所見情報の文字データから該当する所見情報に前記レベルの設定を行うレベル設定手段がレポート作成端末装置に設けられたことを特徴とする。
【発明の効果】
【００１８】
本発明によれば、作成された各レポート情報について、そのレポート情報に含まれる所見情報にレベル設定がなされ、そのレベル設定の内容が担当医のレポート端末装置にてリスト情報表示されるので、作成者（読影医）が意図する所見を担当医に漏れなく確認させることができる。
【００１９】
また、レベル設定されたレポート情報については、そのレポート情報を確認するまで通知するようにしたので、重要な（レベル設定された）レポート情報を確認者（担当医）に対して確実に確認させることができる。
【発明を実施するための最良の形態】
【００２０】
以下、本発明の実施形態につき、図面を参照して説明する。なお、以下の説明において、略同一の機能及び構成を有する構成要素については、同一符号を付し、重複説明は必要な場合にのみ行う。
【００２１】
図１は、本発明に係るレポート作成システムの一実施形態における構成を示すブロック図である。図１は病院内に設けられたレポート作成システムを示しており、医用画像診断装置としてのＸ線ＣＴ装置１、磁気共鳴イメージング装置（ＭＲＩ装置）２及びＸ線診断装置３と、医用情報システムとしての画像保管通信装置４と、レポートサーバ５と、レポート作成端末装置６と、医用画像ビューア装置（医用画像観察装置）７と、レポート確認端末装置８とを有している。
【００２２】
これらの装置は、病院内ＬＡＮ（ローカルエリアネットワーク）９により接続され、相互に通信可能に構成されている。レポートサーバ５は、レポート情報を蓄積（保存）し、管理するレポート情報管理手段５１と、そのレポート情報管理手段５１に蓄積されたレポート情報を元にリスト情報を作成し、管理するリスト情報管理手段５２とを有する。そして、リスト情報管理手段５２は、リスト情報を作成するリスト情報作成手段５１１と、所定のリスト情報について後述するレポート確認端末装置８によって確認作業が行われたか否かを判定する判定手段５１２と、その判定手段５１２により全ての所見情報について確認が行われるまでレポート確認端末装置８に確認を促す通知手段５１３とを有している。
【００２３】
レポート作成端末装置６と医用画像ビューア装置（医用画像観察装置）７は読影室に並べて設置され、作成者（読影医）が医用画像ビューア装置７の画面に表示されている医用画像を見てレポート作成端末装置６を操作してレポート情報を作成することができるようになっている。ここで、本発明における「レポート情報」とは、前記医用画像診断装置によって得られた医用画像に対して読影医が作成する文字情報であり、「所見情報」とは、前記「レポート情報」を構成する文字情報の少なくとも一部で、前記読影医の任意又は後述する「レベル設定手段」によって選択される文字情報である。
【００２４】
また、レポート確認端末装置８は、診療科に設置され、患者の担当医（確認者）が必要に応じてレポート情報を閲覧するための端末装置である。これら装置の組合せ、または装置単体をレポート作成システムと呼ぶものとする。なお、前記「担当医」は、例えば、前記医用画像診断装置による検査を依頼し、前記読影医に医用画像の読影を依頼する立場にある医師である。また、レポート作成端末装置６及びレポート確認端末装置８は、レポート情報を作成する機能（本発明にいう「レポート作成手段」）が備えられているか否かの違いであり、レポート作成端末装置６及びレポート確認端末装置８双方には作成されたレポート情報を表示する機能が備わっている。すなわち、本実施形態では、レポート用端末装置として機能的にレポート作成端末装置６とレポート確認端末装置８とに分類しているに過ぎない。従って、レポート確認端末装置８をレポート作成端末装置６それぞれに前記レポート作成機能と前記レポート確認機能の両機能を持たせてもよい。
【００２５】
図２は、レポート作成端末装置６及び医用画像ビューア装置７の構成を示すブロック図である。図２に示すように、レポート作成端末装置６及び医用画像ビューア装置７は、パーソナルコンピュータ、ワークステーションをベースとして構成されており、回路間のデータ伝送を行うためのバス１０と、プログラムに従って処理を実行するマイクロプロセッサ（ＣＰＵ）１１と、マイクロプロセッサ１１で処理するプログラム及びデータを記憶する半導体メモリ（ＲＡＭ）１２と、プログラム及びデータを記憶する大容量記憶手段としての磁気記憶装置（ハードディスクドライブ）１３と、病院内ＬＡＮに接続するための通信回路１４と、画像を表示するモニタ１５と、モニタ１５に画像を表示させるための信号を生成する画像表示回路１６と、文字入力を行うためのキーボード１７と、ポインタの移動及びクリック操作を行うためのマウス１８と、キーボード１７及びマウス等の入力機器を接続するためのインターフェース回路１９とを備えている。磁気記憶装置１３は、レポート処理、画像参照処理、音声認識等を行うための制御プログラムや、画像やデータベース等の各種データを記憶しており、レポート作成端末装置６及び医用画像ビューア装置７はこれらの制御プログラム及びデータに基づいて動作する。また、モニタ１５及び画像表示回路１６が本発明にいう「表示手段」に該当する。
【００２６】
次に、図３を用いて全体の作業の流れを説明する。図３は、医用画像保管通信装置４、医用画像ビューア装置７、読影室のレポート作成端末装置６、レポートサーバ５による作業及びデータの流れを表したシーケンス図である。
【００２７】
（レポート情報の作成）
まず、作成者は、レポート作成端末装置６において利用者ＩＤ（識別情報）とパスワードを入力してログインを行う（ステップＳ１）。この利用者ＩＤ及びパスワードはレポートサーバ５に送られ、適正な利用者ＩＤか否かが確認され、適正であれば医用画像ビューア装置７におけるレポート情報の参照及びレポート作成端末装置６における作成が可能になる。このとき、前記利用者ＩＤと共に、当該作成者が病院内で所持する携帯端末のアドレス等を前記識別情報の一部として登録しておいてもよい。
【００２８】
次に、レポートサーバ５は、その作成者の担当する案件の一覧を示すリスト情報をレポート作成端末装置６へ送信する。レポート作成端末装置６は、そのリスト情報を表示する（ステップＳ２）。作成者がマウス等を操作して検査リストの中の案件を選択すると、レポート作成端末装置６は、その検査案件に対応する医用画像の表示要求を医用画像ビューア装置７に送信する（ステップＳ３）。
【００２９】
次にレポート作成端末装置６は、その検査のレポート情報を入力するための入力画面を表示する（ステップＳ４）。なお、過去に記録されたレポート情報がある場合は、必要に応じてそのレポート情報を表示するようにしてもよい。
【００３０】
医用画像表示要求を受けると、医用画像ビューア装置７は、医用画像保管通信装置４に対して、その検査案件に対応する医用画像の転送要求を送信する。医用画像保管通信装置４は、その要求された医用画像の情報を検索して医用画像ビューア装置７へ転送する。医用画像ビューア装置７は、その検査案件に対応する医用画像の一覧をサムネイル等により表示する（ステップＳ５）。
【００３１】
作成者は、レポート情報の所見入力欄への入力を行うため、この画像一覧の中から１つの画像を選択する。レポート作成端末装置６は、所見入力を行うためのモードに移行して、選択された医用画像を拡大して表示する（ステップＳ６）。
【００３２】
（所見の入力）
図５は、本実施形態におけるレポート情報の作成過程においてレポート作成端末装置６のモニタ１５に表示される画面の一例である。図５に示すように、ステップＳ６で選択された医用画像に関連して入力モードとなった所見入力画面は、例えば「病理所見」の入力画面１００に、文字情報としての所見情報を入力する所見情報入力欄１０１ａ〜１０１ｃと、所見情報入力欄１０１に入力した語句の選択操作などに用いるポインタ１０２と、重要所見数を入力する欄１０４と、所見情報入力欄１０１（図中１０１ａ）の特定の語句（図中「△△細胞がん」）を、マウス１８を用いて当該語句の範囲をポインタ１０２で選択し、クリックなどの特別な操作をすることでポップアップ表示されるレベル選択用サブ画面１０３とが表示される。
【００３３】
所見の入力に際しては、まず、医用画像ビューア装置７に表示された医用画像を参照しながら、作成者がレポート作成端末装置６のマウス１８を用いて、所見情報入力欄１０１ａ〜１０１ｃを順次記入する。そして、記入した所見情報に含まれる語句のうち、作成者（読影医）が確認者（当該検査を依頼した担当医）に確認して欲しい語句を、マウス１８を用いて当該語句の範囲をポインタ１０２で選択し、選択範囲１０１０ａとして特定し、その選択範囲１０１０ａに対して例えば通常とは異なるクリックボタンによるクリックなどの特別な操作をすることでレベル選択用サブ画面１０３がポップアップ表示される。その後、レベル選択用サブ画面１０３内に表示されたレベル設定アイコン１０３ａ〜１０３ｃの何れか１つを選択し、通常のクリック操作を行うことで、選択されたレベルに応じた識別表示が選択範囲１０１０ａに対して施される（ステップＳ７）。この「識別表示」は、例えば、レベルに応じて該当する選択範囲を特定の色で表示する色分け表示や、該当する選択範囲に下線が表示され、レベルに応じて下線の線種が異なる下線線種別表示などが採用される。本実施形態では、色分けによる識別表示を採用して説明する。
【００３４】
なお、本発明では、前記選択範囲に該当する文字情報（文字列）に対して、少なくとも「重要所見」としての識別がなされ、より好ましくは、その重要度をレベル分けする形態で設定することをＣＰＵ１１が行う「レベル設定手段」として定義する。なお、このレベル設定手段はプログラムの形態で記憶装置１３に記憶されている。また、レベル分けの指標となる「Ｌｅｖｅｌ１」、「Ｌｅｖｅｌ２」及び「Ｌｅｖｅｌ３」の表示は、数字が少ないほど重要度（忌避度）が高いものとして設定されているものとする。
【００３５】
このようにして、複数の選択範囲に対して識別表示された画面が図６に示す図である。図６に示すように、例えば、入力した文字情報としての所見情報のうち、所見情報入力欄１０１ａに入力された「△△細胞がん」について「Ｌｅｖｅｌ１」が設定され、所見情報入力欄１０１ｂに入力された「再検×××」及び所見情報入力欄１０１ｃに入力された「△△がん」については、「Ｌｅｖｅｌ３」が設定され、さらに、重要所見数入力欄１０４に識別表示の対象とした語句の数（この場合は「３」）を入力する。
【００３６】
ここで、重要所見数入力欄１０４は、作成者がキーボード１７を用いて入力してもよいが、前記「レベル設定手段」の機能として、当該レポート情報作成時に入力された所見情報のうち、前記選択範囲で特定された語句の数を算出して表示するようにしてもよい。これは、入力された所見情報に対して選択範囲として連続している範囲を特定すれば算出することができる。具体的には、作成者は、重要所見数入力欄１０４には入力せず、「入力終了」を選択すると、保存されたレポート情報のソースを参照して、当該レポート情報を構成する所見情報のうち、前記選択範囲が関連づけられ、かつ、前記選択範囲が連続して関連づけされた範囲を前記「レベル設定手段」が算出するのである。例えば、前記レポート情報がＨＴＭＬ（Ｈｙｐｅｒ  Ｔｅｘｔ  Ｍａｒｋｕｐ  Ｌａｎｇｕａｇｅ）文書として作成された場合、選択範囲の始点と終点とを示すＨＴＭＬタグの数を前記「レベル設定手段」が算出して選択範囲に関連づけられた文字列の数を認定するのである。
【００３７】
また、入力した所見情報のレベル設定は、上述したようなレベル選択用サブ画面１０３内のアイコンの選択によって選択範囲内の語句に関連づけられるものでなくてもよく、所見情報入力欄に入力された所見情報内の語句を、ただ単にドラッグ操作するなどして選択範囲を設定するだけでもよい（レベル設定アイコン１０３ａ〜１０３ｃを用いない）。これは、選択した所見情報にレベルを設定するのではなく、選択されなかった所見情報と選択された所見情報との間でレベル格差を生じさせることを意味する。このようにすることで、選択した語句を一律に注意喚起したい場合に有効であるし、構成としてシンプルとなる利点がある。
【００３８】
本発明では、作成者がキーボード１７やマウス１８を用いて行う所見入力作業に対して、ＣＰＵ１１が行うこの支援動作をレポート情報作成手段として定義する。なお、このレポート情報作成手段はプログラムの形態で記憶装置１３に記憶されている。
【００３９】
その後、所見情報の入力が終わったことを契機に、レポート作成端末装置６はレポート情報の保存要求をレポートサーバ５へ送る（ステップＳ１４）。このとき、画像選択された医用画像と各所見情報入力欄に入力された所見情報とがレポート情報として関連づけられてレポートサーバ５に送られる。ここで、所見情報の入力終了は、所見入力画面において「所見入力終了」（図示せず）などのボタンを表示させ、これが選択されたことによって確定されるなどすればよい。
【００４０】
なお、レポート情報に関連づける医用画像は、読影時より高い解像度を要求されないことがあるため、レポート情報の保存時に画像解像度の低いものに非可逆圧縮してデータ量を削減するようにしてもよい。このようにデータ量を削減することにより、データベースの容量削減や、データ転送や処理に要する時間を短縮してレスポンスの向上を図ることができる。
【００４１】
（リスト作成）
レポートサーバ５では、病院内ＬＡＮ９に接続されている複数のレポート作成端末装置６から受信したレポート情報がレポート情報管理手段５１によって順次データベース化して保存されると共に、リスト情報作成手段５２１が、各レポート情報について、患者ＩＤと、患者名と、検査名と、所見情報を入力する過程において重要所見数入力欄１０４（図６参照）に入力した（又は算出された）数値とから構成されるリスト情報を作成する。
【００４２】
図７は、本実施形態におけるリスト情報の表示画面を示す図である。図７に示すように、このリスト情報は、「患者ＩＤ」２０１ａ、「氏名（患者名）」２０１ｂ、「検査（項目）」２０１ｃ及び「重要所見数」２０１ｄといった各項目について、レポート作成端末６から送信されてきたレポート情報を蓄積したレポート情報管理手段５１からそれぞれのレポート情報の内容を抽出して列挙表示されるものであり、本図のように検査項目毎に列挙表示されるデータベースとして、作成済みのレポート情報をリスト情報作成手段５２１が編集している。
【００４３】
また、図７に示すリスト情報表示画面は、作成されたレポート情報が検査項目毎に列挙表示されたものであり、リスト情報作成手段５２１は、図７に示すような内容が表示されるようにリスト情報を作成する。例えば、重要所見数を構成する語句（重要所見）に応じて、検査項目毎に色分けされている。具体的には、前記レベル設定手段が、「Ｌｅｖｅｌ１」を赤、「Ｌｅｖｅｌ２」を黄色、「Ｌｅｖｅｌ３」を緑、というように設定していた場合（重要所見として設定していない語句は、黒などの通常表示となる。）、それに応じて該当する検査項目の行を同色で表示するのである。また、構成される重要所見のレベルが複数であった場合、例えば、「病理検査」を構成する重要所見３つのうち、「Ｌｅｖｅｌ１」が１つ、「Ｌｅｖｅｌ３」が２つであった場合、レベルの高い方（この場合、「Ｌｅｖｅｌ１」）の色で検査項目（病理所見）を構成する文字列（ハッチングで表示した部分の文字列）を色分け表示してもよい。このような表示をすることで、表示される「重要所見の数」だけではなく、どれ程高い重要所見が内在しているレポート情報なのかを一目瞭然で判断することができる。
【００４４】
なお、リスト情報作成手段５２１は、リスト情報表示画面において、検査項目毎の重要所見数をマウス１８でクリックすると、該当する所見が識別表示されたレポート情報が表示されるように、表示画面上でレポート情報とリンクさせてリスト情報を作成している。
【００４５】
（レポート情報の参照）
レポート情報の参照は、図３に示すように、先ずレポート確認端末装置８において利用者ＩＤ（識別情報）とパスワードを入力してログインを行う（ステップＳ９）。次にリスト情報管理手段５２から、その利用者の担当する案件のうち、レポート情報が作成された案件の一覧のリスト情報がレポート確認端末装置８へ送信され、レポート確認端末装置８はその検査リストを表示する（ステップＳ１０）。なお、前述したステップＳ２において送信される検査リストは、患者のＩＤ等（担当医のＩＤも含む）に基づいて医用診断装置によって得られた患者又は検査項目毎の医用画像に関するリスト情報であり、当ステップＳ１０のリスト情報は、得られた各医用画像に対してレポート情報が付加された患者又は検査項目毎のリスト情報である。
【００４６】
次に、確認者が検査リストの中の案件を選択する（ステップＳ１１）と、レポート確認端末装置８はレポートサーバ５に対してその案件のレポート情報の転送要求を出し、その転送要求に応じて転送されてきたレポート情報を画面に表示する（ステップＳ１２）。具体的には、図７において、「検査項目」が「病理」のレポート情報の「重要所見数」をマウス１８でクリックすると、図６に示すレポート情報の画面が表示されるのである。
【００４７】
（所見情報の通知）
図４は、本実施形態における所見情報の通知の流れを示すフローチャートである。本実施形態では、「重要所見数」をリスト情報の一部として表示し、早急に確認すべきレポート情報を担当医に認識させるだけでなく、所見情報を確認する毎にその所見情報が属するレポート情報の「重要所見数」を減算更新し、未確認の所見情報を含むレポート情報を、未確認が解消されるまで識別表示（この場合、色分け表示）を保つ機能をリスト情報管理手段５２が有している。
【００４８】
図４に示すように、まず、リスト情報管理手段５２が、リスト情報作成手段５２１で作成したリスト情報を、レポート確認端末装置８からの要求に応じて送信することによって、当該リスト情報はレポート確認端末装置８の表示手段（図示せず）に表示される（ステップＳ２１）。
【００４９】
ここで、判定手段５２２は、レポート確認端末装置８の前記表示手段に表示されているレポート情報を構成する所見情報が、レポート確認端末装置８の表示手段の画面上で確認動作（例えば、マウス１８によるクリック）された場合、その確認動作の対象たる所見情報を特定し、その所見情報について「確認がされた」ことを示す確認情報がレポート確認端末８から送信されるか否かによって確認の存否を認識する手段として機能する。
【００５０】
また、この判定手段５２２は、レポート確認端末装置８から前記確認情報が送信された場合、その確認対象である所見情報のレベルを参照して、そのレベルに応じて色分け表示を変更するか否かを判定し、前記「重要所見数」の数値を減算する処理を当該リスト情報に対して行うようにリスト情報作成手段５２１に指示する。なお、前記色分け表示の判定は、例えば、前記確認情報の対象となる所見情報が、複数の所見情報の中で唯一高いレベルであった場合などにおいて、レポート情報の識別表示（色分け表示）が変更されるような場合に適用される。つまり、レポート確認端末装置８から確認情報が送信される度に、それによってリスト情報の表示内容がどのように変更されるのかを判定手段５２２が判定し、リスト情報作成手段５２１にリスト情報の上書きをするのである。
【００５１】
従って、判定手段５２２はまず、リスト表示されているレポート情報に含まれる所見情報の中で未確認のものがあるか否かをリスト情報に含まれる「重要所見数」を参照して判定する（ステップＳ２２）。
【００５２】
リスト情報に含まれる「重要所見数」を参照して、未確認の所見情報があると判定され（ステップＳ２２−Ｙｅｓ）、レポート確認端末装置８から確認情報が送信された場合（ステップＳ２３−Ｙｅｓ）、判定手段５２２は、その確認対象である所見情報のレベルを参照して、そのレベルに応じて色分け表示を変更するか否かを判定し（ステップＳ２４）、当該「重要所見数」の数値を減算する処理（ステップＳ２５）を当該リスト情報に対して行うようにリスト情報作成手段５２１に指示する。
【００５３】
その後、判定手段５２２は、リスト表示されているレポート情報に含まれる所見情報の中で未確認のものがあるか否かをリスト情報に含まれる「重要所見数」を参照して再び判定する（ステップＳ２６）。この判定において、未確認の所見情報があれば（ステップＳ２６−Ｙｅｓ）、レポート確認端末装置８から確認情報が送信されるステップ（ステップＳ２３）へ移行し、未確認の所見情報がなくなった場合（ステップＳ２６−Ｎｏ）には、このプロセスは終了する。
【００５４】
なお、このように、未確認の所見情報がなくなるまでリスト情報の表示画面上でレポート情報を識別表示（色分け表示）する一連の動作を本発明では通知手段として定義しているが、前述したように、病院内で担当医が所持する携帯端末のアドレス等をレポート情報の一部としてＰＡＣＳに予め登録しておくことにより、未確認の所見情報がなくなると判定手段が判定するまでは、担当医が所持する携帯端末のアドレス宛に「未確認の所見があります」等のメッセージを送信するプロセスを通知手段５２３として設定してもよい。
【００５５】
以上述べた構成によれば、作成された各レポート情報について、含まれる所見情報にレベル設定がなされ、そのレベル設定の内容が担当医のレポート確認端末装置にてリスト情報表示されるので、読影医が意図する所見（情報）を担当医に漏れなく確認させることができる。
【００５６】
また、レベル設定された所見情報を確認するまで担当医に通知するようにしたので、重要なレポート情報を担当医に対して確実に確認させることができる。
【００５７】
（他の実施形態）
図８は、本発明に係るレポート作成システムの他の実施形態におけるレポート確認端末装置８のリスト情報画面例である。図８に示すように、このリスト情報画面は、前述の実施形態と同様、「患者ＩＤ」２０１ａ、「氏名（患者名）」２０１ｂ、「検査（項目）」２０１ｃ及び「重要所見数」２０１ｄといった各項目について、レポート作成端末６から送信されてきたレポート情報の内容から抽出して列挙表示したものであるが、「重要所見数」２０１ｄについて、レベル毎にその数を表示するようにレポートサーバ５が編集してもよい。このように作成し、表示することによって、表示される「重要所見の数」だけではなく、重要所見の内訳を一目瞭然で判断することができる。
【００５８】
また、他の実施形態として、画面上に表示されたリスト情報に対してレポート情報を選択した際、表示されたレポート情報の識別表示部分（所見入力時における選択範囲）を確認者がマウス１８でクリックすることで「確認された」と見なせることができ、それに応じてリスト情報に表示する「重要所見数」の数を減じていく警告手段が設けられてもよい。なお、「重要所見数」の数を減じていき、「０」になった場合には、「重要所見数」の表示を通常表示（例えば、色分け表示であれば黒）としてもよい。本発明では、ＣＰＵ１１が行うこの動作を警告手段として定義する。なお、この警告手段はプログラムの形態で記憶装置１３に記憶されている。このような警告手段を設けることで、作成者がレポート作成時に設定した「重要所見」のうち、確認していないものについては、確認動作を行うまで識別表示をするので、「重要所見」の見落としがなくなる。また、この警告手段の他の機能として、「重要所見数」の数（又は、特定のレベルの重要所見の数）が「０」になるまで、当該レポート情報によって特定される担当医の携帯端末等に定期的に警告通知を送信するようにしてもよい。
【００５９】
さらに、前述の実施形態におけるレベル設定手段は、「重要所見」として特定する語句にレベルを設定支援するための手段であったが、重要度のレベルと所見を示す文字データとが関連づけられたテーブルをレポート作成端末６の記憶装置１３に備え、そのテーブルを参照して前記語句を構成する文字列から該当する所見情報に前記レベルの設定を割り当てるようにしてもよい。この割り当てに係る技術は、公知のいわゆる「テキストマイニング技術（例えば、特開２００１−１４７９３７号公報に記載の検索方法。）」を利用することで達成できる。このようにすることで、「重要所見」として前記テーブルに予め設定された語句について、前記レベル設定手段が自動的に割り当てるので、作成者は、所見の入力に集中することができ、レポート情報の作成時の労力を軽減し、結果として当システムの作業効率を向上させることができる。
【００６０】
加えて、「Ｌｅｖｅｌ１」等の所見情報に付されるレベルを検索対象として入力すると、蓄積されたレポート情報の中から該当する所見情報が属するレポート情報を抽出する「重要所見検索」機能をレポート情報管理手段５１に設けてもよい。
【００６１】
上述の各実施形態は、本発明の一例であり、本発明は上記実施形態に限定されることはない。また、この他であっても、本発明に係る技術的思想を逸脱しない範囲であれば、設計等に応じて種々の変更が可能である。
【００６２】
例えば、上述の実施の形態では、レポート作成端末装置６を用いる読影医と、レポート確認端末装置８を用いる担当医との間で行われるレポート作成システムについて説明したが、交代時に看護士間で行われる「申し合わせ作業」に、本システムを適用しても有用である。
【図面の簡単な説明】
【００６３】
【図１】本発明に係るレポート作成システムの一実施形態における構成を示すブロック図。
【図２】本発明に係るレポート作成システムの一実施形態におけるレポート作成端末装置６及び医用画像ビューア装置７の構成を示すブロック図。
【図３】本発明に係るレポート作成システムの一実施形態におけるレポート情報作成時の流れを示すシーケンス図。
【図４】本発明に係るレポート作成システムの一実施形態における所見情報の通知の流れを示すフローチャート。
【図５】本発明に係るレポート作成システムの一実施形態におけるレポート作成端末装置６の所見入力画面例。
【図６】本発明に係るレポート作成システムの一実施形態におけるレポート確認端末装置の所見確認画面例。
【図７】本発明に係るレポート作成システムの一実施形態におけるレポート確認端末装置のリスト情報画面例。
【図８】本発明に係るレポート作成システムの他の実施形態におけるレポート確認端末装置のリスト情報画面例。
【符号の説明】
【００６４】
１  Ｘ線ＣＴ装置
２  ＭＲＩ装置
３  Ｘ線診断装置
４  画像保管通信装置（画像ＤＢ）
５  レポートサーバ
６  レポート作成端末装置
７  医用画像ビューア装置
８  レポート確認端末装置
９  病院内ＬＡＮ
５１  レポート情報管理手段
５２  リスト情報管理手段
５２１  リスト情報作成手段
５２２  判定手段
５２３  通知手段
【図１】
0005196713.tif 000002
【図２】
0005196713.tif 000003
【図３】
0005196713.tif 000004
【図４】
0005196713.tif 000005
【図５】
0005196713.tif 000006
【図６】
0005196713.tif 000007
【図７】
0005196713.tif 000008
【図８】
0005196713.tif 000009